(57)【要約】      （修正有）【課題】持ち運び等を容易にでき、洗濯などが可能であるクッションを提供する。【解決手段】クッション１０ａは、クッション体１２、クッション体１２を貫通する空間１４ａ、空間１４ａに配置された炭１６、空間１４ａを封止する封止部材１８を備える。クッション１０ａは通気性が良く、消臭効果を有する。クッション体１２から炭１６を容易に取り出すことができ、持ち運びが楽になったり、クッション体１２と炭１６を別々に洗濯したりすることもできる。【選択図】図２
0003186934.tif 000002
【実用新案登録請求の範囲】
【請求項１】
多孔質で通気性を有するクッション体と、
前記クッション体の上面または下面と平行に貫通する空間と、
通気性の収納袋に入れられ、前記空間に配置された炭または活性炭と、
前記クッション体と同じ材料で構成され、クッション体の側部において空間を封止する封止部材と、
を備えたクッション。
【請求項２】
前記クッション体の上面から空間までスリットが形成され、空間の上方が開閉可能になった請求項１のクッション。
【請求項３】
前記スリットがクッション体の上面から空間まで最短経路で形成されている請求項２のクッション。
【請求項４】
前記スリットの途中に凹部と凸部を形成した請求項２のクッション。
【請求項５】
前記空間が複数である請求項１から４のいずれかのクッション。
【請求項６】
前記炭または活性炭が洗浄によって粉末を取り除いた炭または活性炭である請求項１から５のいずれかのクッション。
【考案の詳細な説明】
【技術分野】
【０００１】
本考案は、通気性等に優れたクッションに関するものである。
【背景技術】
【０００２】
従来、種々のクッションが開発および開示されている。例えば、下記の特許文献１には、クッション体の中央に、炭を配置するクッションが開示されている。クッション体は２つの部材に分割されており、中央に凹みを設け、その凹みに炭が配置される。クッション体は多孔質のウレタンなどであり、クッション体は通気性が確保されている。また、炭によって消臭効果も備えている。
【０００３】
しかし、クッション体の中央に大きな凹みを備えたりすると、炭の量が多くなり、クッションが重くなり、クッションの移動が大変になる。また、クッション体と炭とを分離できるが、炭の量が多くなり、炭の持ち運びなどが大変になる。そのため、それらの洗濯などが重労働になる。また、洗濯の代わりに殺菌や滅菌をおこなう場合であっても、クッションの持ち運びが重労働になる。
【先行技術文献】
【特許文献】
【０００４】
【特許文献１】特開２００９−２９１４５０
【考案の概要】
【考案が解決しようとする課題】
【０００５】
本考案の目的は、持ち運び等を容易にでき、洗濯などが可能であるクッションを提供することにある。
【課題を解決するための手段】
【０００６】
本考案のクッションは、多孔質で通気性を有するクッション体と、前記クッション体の上面または下面と平行に貫通する空間と、通気性の収納袋に入れられ、前記空間に配置された炭または活性炭と、前記クッション体と同じ材料で構成され、クッション体の側部において空間を封止する封止部材とを備える。
【０００７】
前記クッション体の上面から空間までスリットが形成され、空間の上方が開閉可能になっている。また、スリットがクッション体の上面から空間まで最短経路で形成されている。スリットの途中に凹部と凸部を形成しても良い。
【０００８】
前記空間が複数であり、複数箇所に炭を配置する。前記炭または活性炭が洗浄によって粉末を取り除いた炭または活性炭である。
【考案の効果】
【０００９】
本考案は、通気性が良く、炭による消臭効果を有する。炭は容易にクッション体から取り外すことができ、炭とクッション体を別々に持ち運び、洗濯することができる。クッション体の持ち運びが容易であり、洗濯もし易い。炭を複数の空間に分けて配置しているため、炭を分けて持ち運んだり洗濯したりすることができ、持ち運びや洗濯などが容易である。
【図面の簡単な説明】
【００１０】
【図１】本考案のクッションを示す斜視図である。
【図２】（ａ）は図１のＡ−Ａ線断面図であり、（ｂ）は図２（ａ）のＢ−Ｂ線断面図である。
【図３】図１のクッションをベットに使用した斜視図である。
【図４】四角柱の空間を備えたクッションの斜視図である。
【図５】空間を直方体にしたクッションを示す図であり、（ａ）は上面図であり、（ｂ）は（ａ）のＣ−Ｃ線断面図であり、（ｃ）は方形の凹部と凸部を有するクッションの断面図である。
【図６】空間を直方体にし、アリ溝を設けないクッションを示す図であり、（ａ）は上面図であり、（ｂ）は（ａ）のＤ−Ｄ線断面図である。
【図７】本考案のクッションを枕に適用した断面図であり、（ａ）は円柱状の空間を有する枕であり、（ｂ）は立方体の空間を有する枕であり、（ｃ）は他のクッション体を用いない枕である。
【考案を実施するための形態】
【００１１】
本考案のクッションについて図面を使用して説明する。本考案のクッションは、マットや枕などであり、まずはマットを例に説明する。
【実施例１】
【００１２】
図１、図２に示す本考案のクッション１０ａは、クッション体１２、クッション体１２を貫通する空間１４ａ、空間１４ａに配置された炭１６、空間１４ａを封止する封止部材１８を備える。
【００１３】
クッション体１２は、多孔質で通気性を有する。また、クッションとしての役割を備えるために、柔軟性を有する。クッション体１２としては、例えば、発泡ポリウレタン（ウレタンフォーム）や発泡ポリエステルが挙げられる。クッション体１２をマットとして使用するため、肉厚の板状になっている。例えば、クッション体１２の大きさは、２０５ｃｍ×１００ｃｍ×７ｃｍである。図１ではクッション体１２の角が直角になっているが、角を丸めたりしても良い。
【００１４】
空間１４ａはクッション体１２を貫通させるように形成する。図１の空間１４ａは円柱形であり、クッション体１２の一の側面から他の側面を貫いている。空間１４ａの断面形状は一定であり、直線状になっている。空間１４ａは、クッション体１２の上面または下面と平行方向を向いている。複数の空間１４ａが並んで形成されている。クッション体１２の所定位置をくりぬいて空間１４ａにする。
【００１５】
空間１４ａには炭１６が配置される。炭１６は数ミリ〜１ｃｍほどの長さの粒またはチップになった炭１６である。大きな炭を使用せずに、細かな炭１６を複数使用することで、使用者が炭１６の凹凸を感じないようにする。また、水洗などの洗浄によって、炭１６から微細な粉末を除去しておく。粉末が含まれていないため、クッションが炭１６の粉末によって黒くなったり、使用者に炭１６の粉末が付いたりすることを防止する。炭１６の種類などは限定されず、廃木材から生産した炭１６であっても良い。資源の有効利用になる。また炭１６の代わりに活性炭を使用してもよい。
【００１６】
炭１６は通気性のある収納袋（図示省略）に入れられ、炭１６が散らばらないようにする。収納袋は、不織布などで構成することができる。空間１４ａが円柱形であるので、円筒形の収納袋に炭を入れることにより、炭１６を円柱形にすることができる。炭１６には消臭効果があり、種々の臭いを消臭できる。また、クッション体１２および炭１６は多孔質であり、通気性を有するため、クッションとして快適な使い心地を提供できる。炭１６による調湿効果によってもクッションとして快適な使い心地を提供できる。
【００１７】
炭１６は空間１４ａを完全に満たすように入れるのではなく、クッション体１２の側部付近は炭１６が配置されない。使用者のクッション１０ａの使用部分にのみ炭１６が配置されるようにする。また、枕の配置される箇所も炭１６が配置されない。枕が配置されるため、炭１６の効果が低減するためであり、余分な炭１６を使用しない。必要な箇所にのみ炭１６を配置し、最小限の炭１６で効率的に消臭等の効果を得るようになっている。炭１６の使用量が低減され、コストを低く抑えることができる。
【００１８】
空間１４ａにおける炭１６の配置されない箇所には、封止部材１８を配置する。封止部材１８は、クッション体１２の側面側から空間１４ａに入れられてクッション体１２の側部に配置される。封止部材１８によって炭１６がクッション体１２の側方に飛び出さないようになり、炭１６の位置が固定される。封止部材１８はクッション体１２と同じ部材で構成される。
【００１９】
クッション体１２の上面から空間１４ａまでスリット２０ａが形成されている。スリット２０ａは、空間１４ａの最上部から上面まで最短経路になるようになっている。上面が水平面と同一面であるとすると、空間１４ａおよびスリット２０ａがクッション体１２を水平方向に貫通しており、スリット２０ａを形成しながらクッション体１２をくりぬくようにして空間１４ａを形成する。なお、クッション体１２のリット２０ａを有する面を上面としているが、下面として使用しても良い。
【００２０】
スリット２０ａを押し広げることで、空間１４ａが開閉可能になっている。スリット２０ａを押し広げて炭１６を空間１４ａに入れたり、取り出したりすることができる。スリット２０ａを延長したとき、空間１４ａの中央をスリット２０ａが通過するようにする。スリット２０ａを押し広げたとき、空間１４ａが二分割されるように広げられ、炭１６を出し入れしやすくなる。
【００２１】
クッション１０ａを持ち運ぶときに炭１６を取り出し、使用場所にクッション体１２を置いた後、炭１６を空間１４ａに入れる。クッション体１２は多孔質であるため、クッション体１２の側面側から空間１４ａに炭１６を入れようとしたとしても、摩擦によって入れにくいが、スリット２０ａを広げることによって、容易に炭１６を空間１４ａに入れることができる。クッション体１２は軽いため、簡単に持ち運びできる。炭１６は複数の収納袋に分割して入れられており、一度に全ての炭１６を持ち運ぶ必要性はなく、持ち運びしやすい量を分割して持ち運びすることができる。クッション体１２と炭１６を別々に洗濯することができる。
【００２２】
クッション体１２と炭１６とを容易に分離できるため、別々に洗濯することができる。クッション体１２の中に炭１６が入ったままでは洗濯しにくいが、別々に洗濯することができ、容易にクッション体１２を洗濯できる。炭１６も洗濯されることにより、元の状態に戻り、消臭効果などを最初の状態に戻すことができる。
【００２３】
図１の状態で使用してもよいし、図３のようにクッション体１２の上面の上に他のクッション体２２を配置し、それらに通気性のある布製のカバー２４を掛けてベットとして使用してもよい。クッション体１２の上に載せた他のクッション体２２も通気性を有することが好ましい。例えば２つのクッション体１２、２２は同一の材料で構成し、炭１６まで通気性を有するようにし、消臭効果が発揮されるようにする。また、図１のクッション体１２の厚みを厚くすることにより、図３の２つのクッション体１２、２２が備えられるのと同じ厚みにしても良い。クッションとして所望の柔軟性を有するように、クッション体１２の数や厚みを適宜選択する。
【００２４】
以上のように、クッション１０ａは通気性が良く、消臭効果を有する。クッション体１２から炭１６を容易に取り出すことができ、持ち運びが楽になったり、クッション体１２と炭１６を別々に洗濯することもできる。
【実施例２】
【００２５】
空間１４ａは円柱形に限定されない。例えば、図４のクッション１０ｂのように、四角柱の空間１４ｂであっても良い。空間１４ｂの上部からクッション体１２の上面までスリット２０ｂが設けられている。実施例１と同様に、スリット２０ｂを延長した際、空間１４ｂの中心を通る。スリット２０ｂを押し広げたとき、空間１４ｂを中心で分割する状態になり、炭１６を空間１４ｂに入れやすい。スリット２０ｂは空間１４ｂを完全に閉じることができる場合に限定されず、数ｍｍのスリット幅を有していても良い。
【００２６】
また、図５（ａ）、（ｂ）のクッション１０ｃのように、直方体の空間１４ｃであっても良い。空間１４ｃの数も限定されず、図５（ａ）、（ｂ）の空間１４ｃは６個である。スリット２０ｃは、最短経路で設けられず、空間１４ｃの上部と同一面を通過し、途中で直角に折れ曲がったＬ字型である。クッション体１２における空間１４ｃの上部２６を持ち上げることによって、空間１４ｃが開閉可能になっている。また、スリット２０ｃの途中を曲線状に蛇行させて凹部２８と凸部３０を形成している。この凹部２８と凸部３０はアリ溝と同形状になっている。アリ溝になった凹部２８と凸部３０が嵌め合わされることにより、空間１４ｃを閉じたときに、簡単に上部２６が開かないようになっている。クッション体１２は柔軟性を有するため、凹部２８を広げて凸部３０を入れることにより、アリ溝による嵌め合わせが可能である。
【００２７】
凹部２８と凸部３０の形状はアリ溝に限定されず、図５（ｃ）に示すような方形の凹部２８と凸部３０であっても良い。凹部２８と凸部３０が嵌め合わされることによって上部２６が開きにくくなっている。図６のクッション１０ｄのように、凹部２８と凸部３０を設けないスリット２０ｄを備えたクッション１０ｄであっても良い。図３と同様にクッション体１２の上に他のクッション体２２を載せることにより、空間１４ｄの上部が開くことはない。
【実施例３】
【００２８】
上記の実施例のクッション１０ａ、１０ｂ、１０ｃ、１０ｄはマットであったが、図７に示すクッション１０ｅのような枕であっても良い。上記の実施例と同様に、クッション体１２に空間１４ｅを設け、空間１４ｅに炭１６を配置している。図７（ａ）は複数の円柱状の空間１４ｅを有し、図７（ｂ）は立方体の空間１４ｅを有する。空間１４ｅの数は限定されない。枕であれば小型であるため、空間１４ｅの数が１つになっても炭１６の量は少なく、持ち運びも容易である。
【００２９】
また、空間１４ｅからクッション体１２の上面までスリット２０ｅを形成しており、クッション体１２における空間１４ｅの上部は開閉可能である。クッション体１２の上面に他のクッション体２２を配置して、枕の形を形成することができる。図７（ｃ）のように、クッション体１２の形状によっては、他のクッション体２２を使用せずに枕を構成しても良い。
【００３０】
さらに、クッション１０ａ、１０ｂ、１０ｃ、１０ｄ、１０ｅは、マットや枕以外に、座布団などの種々のクッションに使用することができる。必要に応じてクッション１２の形状や厚み、空間１４ａ、１４ｂ、１４ｃ、１４ｄ、１４ｅの大きさを適宜変更し、必要な形状や柔軟性を有するクッションにする。
【実施例４】
【００３１】
上記の実施例はスリット２０ａを設けたが、空間１４ａはクッション体１２を貫くように形成されているため、必ずしもスリット２０ａを設ける必要はない。クッション体１２の側面から炭１６を空間１４ａに出し入れする。
【実施例５】
【００３２】
上記の各クッション１０ａ、１０ｂ、１０ｃ、１０ｄ、１０ｅに抗菌処理や殺菌処理を施しても良い。洗濯の代わりにオゾンによる殺菌をおこなったり、抗菌処理により、雑菌の繁殖を抑える。
【００３３】
その他、本考案は、その主旨を逸脱しない範囲で当業者の知識に基づき種々の改良、修正、変更を加えた態様で実施できるものである。種々の実施例を説明したが、各実施例は独立的または排他的ではなく、適宜組み合わせて実施しても良い。
【符号の説明】
【００３４】
１０：クッション
１２、２２：クッション体
１４ａ、１４ｂ、１４ｃ、１４ｄ、１４ｅ：空間
１６：炭
１８：封止部材
２０ａ、２０ｂ、２０ｃ、２０ｄ、２０ｅ：スリット
２４：カバー
２６：上部
２８：凹部
３０：凸部
【図１】
0003186934.tif 000003
【図２】
0003186934.tif 000004
【図３】
0003186934.tif 000005
【図４】
0003186934.tif 000006
【図５】
0003186934.tif 000007
【図６】
0003186934.tif 000008
【図７】
0003186934.tif 000009